(57)【要約】      （修正有）【課題】寝心地もよく、ヒノキの香り成分を長期間にわたり放出できる枕を提供する。【解決手段】枕本体と、充填材から成る枕であって、該充填材の一部又は全部が、通気性及び通香性を有する袋体に収納されたヒノキのペレット及びヒノキのおが粉で構成され、該充填材を枕本体所定箇所に交換可能に配設できることとした。また、枕本体の素材に低反発ウレタンを用いる構成や、枕本体を複数に分割して縫製し、前記ヒノキのペレット及びヒノキのおが粉で構成された充填材を、該分割中央部に配設する構成にもできる。【選択図】図１
0003152622.tif 000002
【実用新案登録請求の範囲】
【請求項１】
枕本体と、充填材から成る枕であって、
該充填材の一部又は全部が、通気性及び通香性を有する袋体に収納されたヒノキのペレット及びヒノキのおが粉で構成されており、該充填材が枕本体所定箇所に交換可能に配設できることを特徴とする枕
【請求項２】
前記枕本体の素材に、低反発ウレタンを用いたことを特徴とする請求項１に記載の枕
【請求項３】
前記枕本体を複数に分割して縫製し、前記ヒノキのペレット及びヒノキのおが粉で構成された充填材を、該分割中央部に配設したことを特徴とする請求項１に記載の枕
【考案の詳細な説明】
【技術分野】
【０００１】
本考案は、ヒノキペレット及びヒノキのおが粉で構成された充填材を内包する枕に関する。
【背景技術】
【０００２】
人生の三分の一を占める睡眠をいかに快適なものにできるかどうかは、健康維持のため極めて重要である。しかし、ストレス社会と言われる今日においては、睡眠障害を抱える人は増加するばかりである。そこで、寝具には多種多様の機能が求められるようになった。最近では、鎮静作用があるテルペン類を含む木材を枕等の寝具へ利用することで、森林浴効果による芳香療法も取り入れられている。係る森林浴効果をもたらす香り成分は一般的にフィトンチッドとも呼ばれているが（以下、「香り成分」という）、天然の木材の香り成分は比較的に早く消失するため、その効果が長持ちしないという問題がある。
【０００３】
また、森林伐採による環境破壊が世界的に問題視されている昨今、製材過程において発生する余材やおが粉をどのように有効活用するかも極めて重要な問題である。従来、製材中に産出されるおが粉の用途としては、家畜の敷料やキノコ栽培が一般的であったが、最近では燃料ペレットの原料としてその用途が拡大している。木質ペレットは木材に含まれるリグニンを凝固材としておが粉を固形化したもので、燃焼によってＣＯｘを発生するものの、化石燃料の燃焼とは異なり炭素循環の枠内でその総量を増加させるものではないため、統計上は排出しないものとして取り扱うことができ、さらに二酸化炭素を排出しないので地球環境に優しい燃料である。また、近年の原油価格高騰に対抗するコスト削減の観点から急速に注目を浴びるようになってきた。しかしながら、ペレットストーブはわが国においてはまだ一般的に広く普及しておらず、他にも有効活用できる分野が求められている。
【０００４】
このような問題を解決すべく、従来から種々の技術が提案されている。例えば、ヒノキのチップを充填材として利用する枕に係る技術が提案されている（特許文献１・２参照）。しかし、係る技術ではヒノキのチップを用いているため、チップ表面の香り成分は早期に放出されるものの、チップ内部の香り成分が放出しにくく、香りが持続しないという問題がある。また、木質ペレットを利用した技術で、よもぎペレットにそば殻を混合して内包した枕に係る技術が提案されている（特許文献３参照）。しかし、そば殻は硬いため寝心地が悪く、また、摩擦により木質ペレットを早期に粉砕してしまうため充填材の交換サイクルが早まるという問題がある。またさらに、おが粉を入れた布袋を収納した枕に係る技術も提案されている（特許文献４参照）。しかし、係る技術はヒノキのおが粉を用いているため、ヒノキの香り成分が放出しやすく、香りが早期に消失してしまうため、前記同様充填材の交換サイクルが早まるというという問題が残されている。従って、寝心地もよく、ヒノキの香り成分を長期間に渡り放出できる枕であること、という課題が残されている。
【０００５】
【特許文献１】実用新案登録第３０１１３２２号
【特許文献２】実用新案登録第３０１１３２２号
【特許文献３】特開２００５―１５２０４１号公報
【特許文献４】実用新案登録第３００５４１０号
【考案の概要】
【考案が解決しようとする課題】
【０００６】
そこで、本考案は、上述の問題点に鑑み、寝心地もよく、ヒノキの香り成分を長期間に渡り放出できる枕の提供を図るものである。
【課題を解決するための手段】
【０００７】
前記目的を達成するため、請求項１の考案は、枕本体と、充填材から成る枕であって、該充填材の一部又は全部が、通気性及び通香性を有する袋体に収納されたヒノキのペレット及びヒノキのおが粉で構成されており、該充填材が枕本体所定箇所に交換可能に配設できることを特徴とする枕とした。
【０００８】
また、請求項２の考案は、前記枕本体の素材に、低反発ウレタンを用いたことを特徴とする枕とした。
【０００９】
またさらに、請求項３の考案は、前記枕本体を複数に分割して縫製し、前記ヒノキのペレット及びヒノキのおが粉で構成された充填材を、該分割中央部に配設したことを特徴とする枕とした。
【考案の効果】
【００１０】
本考案に係る枕によれば、製材及び間伐の過程で産出されるおが粉の有効活用ができるという優れた効果を奏する。
【００１１】
また、本考案に係る枕によれば、充填材にヒノキのペレットとヒノキのおが粉を含んでいるため、初期段階ではおが粉により香り成分が放出され、使用によりヒノキペレットが少しずつ崩れていくことで、ペレット内部の香り成分が徐々に放出され、香りが長持ちするというという優れた効果を奏する。
可能となる
【００１２】
さらに、本考案に係る枕によれば、充填材がヒノキペレットとヒノキのおが粉で構成されているため、チップのみやペレットのみで構成された充填材、或いはカットパイプ材やビーンズ材のみを充填材とする枕と比較して、柔らかい感触を創出できるという効果も発揮する。
【考案を実施するための最良の形態】
【００１３】
本考案に係る枕１は、ヒノキのペレット及びヒノキのおが粉で構成された充填材３ａを用いていることを最大の特徴とする。以下、本考案に係る枕１の実施形態を実施例毎に図面に基づいて説明する。
【実施例１】
【００１４】
図１は、本考案の第１の実施形態に係る枕１の全体構成を示す説明斜視図である。枕１の本体２ａは、図に示すように複数に分割して縫製され、各部袋体毎に充填材３ａ又は充填材３ｂを収用する空間と充填材挿入口５を有し、該充填材挿入口５には各々ファスナー６が設けられている。なお、分割は図に示すような５分割構造が望ましい。
【００１５】
充填材３ａは、通気性及び通香性を有する不織布等の袋体の開口部にファスナー６を有し、ヒノキのペレットとヒノキのおが粉を内包する。ただし、素材は不織布に限定されるものではなく、強度に優れ、通気性及び通香性を有する人体に無害な素材であればよい。また、ペレットとおが粉の比率も特に限定されるものではないが、体積比でおよそ９対１から５対５程度の範囲内であることが望ましい。また、スギのペレットをブレンドすることも有用である。スギの余材の有効利用もでき、また、スギにもヒノキと同様なフィトンチッドが含まれているので、森林浴効果や防虫効果によるダニの繁殖を抑えるという効果が妨げられることもないからである。そして、充填材３ａは、前記本体略中央部付近の凹部に、嵌合等により着脱自在に装着され、香り成分が消失の後、交換する。
【００１６】
充填材３ｂは、前記充填材３ａを用いてもよいが、ある程度の硬さを確保するために、カットパイプ材やビーンズ材を使用したり、逆にスポンジや綿、羽毛など柔らかいものを各分割された袋体に詰める構成でもよい。適度な硬さと弾力性は好みによって調整する。
【００１７】
枕本体２ａに充填材３ａを配置した後、枕カバー４で包んで使用する。
【実施例２】
【００１８】
次に、本考案に係る枕１の第２の実施形態について説明する。図２及び図３は、本考案の第２の実施形態に係る枕１の全体構成を示す説明斜視図である。図２は充填材３ａを本体２ｂ内部に配設する場合を、図３は充填材３ａを本体２ｂの外部から配設する場合をそれぞれ表している。
【００１９】
枕１の本体２ｂの素材には低反発ウレタンを使用する。図中に表している枕本体２ｂの全体形態は、低反発ウレタン枕の一般的な形状を例示したものであり、全体形状を特定したものではないが、係る形状を用いた場合の実施例として説明する。図２に示すような充填材挿入貫通穴８を設け、該充填材挿入貫通穴８に充填材３ａを挿入し、両端の充填材挿入口５に蓋体７を嵌装する。また、充填材挿入貫通穴８とせず、図３に示すように、両側壁面付近に充填材挿入深穴９を設け、人間の頭部の左右に充填材３ａが配置されるようにして、頭部下部は低反発ウレタンの弾力特性を生かす構成とすることも有効である。
【００２０】
また、図４に示すような、充填材３ａを本体２ｂの外部から配設する構成を採用する場合は、枕本体２ｂに溝部を設けて、該溝に嵌装する。また、図示はしていないが、前記同様、両側壁面付近に溝部を設け、人間の頭部の左右に充填材３ａが配置されるようにして、頭部下部は低反発ウレタンの弾力特性を生かす構成とすることも有効である。
【００２１】
図５は、本考案の第２の実施形態に係る枕１の全体構成を示す断面図である。低反発ウレタンを素材とした枕の最大の欠点は、熱を吸収し放熱しにくいことから、夏場の使用では体温により暖まった熱が逃げず、寝心地が悪くなることである。そこで、本体２ｂの表面に、通気性が高く熱を伝えにくい多孔質シート素材を被装することが望ましい。具体的には、例えば、旭化成せんい株式会社のフュージョン（登録商標）などが考えられる。
【図面の簡単な説明】
【００２２】
【図１】第１の実施形態に係る枕１の全体構成を示す説明斜視図である。
【図２】第２の実施形態に係る充填材配設状態を示す説明斜視図である。
【図３】第２の実施形態に係る充填材配設状態を示す説明斜視図である。
【図４】第２の実施形態に係る充填材配設状態を示す説明斜視図である。
【図５】第２の実施形態に係る枕に多孔質シート素材を被装した状態を示す断面図である。
【符号の説明】
【００２３】
１    枕
２ａ  本体
２ｂ  本体
３ａ  充填材
３ｂ  充填材
４    枕カバー
５    充填材挿入口
６    ファスナー
７    蓋体
８    充填材挿入貫通穴
９    充填材挿入深穴
１０    多孔質シート素材
【図１】
0003152622.tif 000003
【図２】
0003152622.tif 000004
【図３】
0003152622.tif 000005
【図４】
0003152622.tif 000006
【図５】
0003152622.tif 000007